(57)【特許請求の範囲】
【請求項１】
ハウジングの内部を止水するゴム栓本体部を有し、前記ゴム栓本体部の周囲に脚部が設けられており、前記脚部に設けられた凹部の周壁が切れ目なく連続するゴム栓と、
前記ゴム栓を覆って前記ハウジングに固定されるカバーと、
前記脚部に対して前記カバーと反対側に配されるゴム栓固定部を有し、前記凹部に対して前記カバーと反対側から嵌合する突起が前記ゴム栓固定部に設けられており、前記突起が前記凹部の前記周壁に係止することで前記脚部が前記カバーに沿って移動することが抑制された状態となって前記カバーに固定されるゴム栓ホルダとを備えたゴム栓アッシー。
【請求項２】
前記ゴム栓ホルダは、前記カバーに設けられた位置決め孔に挿通されることで前記ゴム栓固定部が前記カバーから離れる方向へ移動することが抑制される位置決めピンを有する請求項１に記載のゴム栓アッシー。
【請求項３】
前記ゴム栓ホルダは、前記カバーに設けられた被ロック部に係止することで前記ゴム栓ホルダを前記カバーに固定するロック部を有し、前記ロック部の両側に一対の前記ゴム栓固定部が配されている請求項１または請求項２に記載のゴム栓アッシー。
【発明の詳細な説明】
【技術分野】
【０００１】
本明細書によって開示される技術は、ゴム栓アッシーに関する。
【背景技術】
【０００２】
従来、大電流用ケーブルに接続されるコネクタとして、例えば特開２０１５−８２４６５号公報（下記特許文献１）に記載のものが知られている。このコネクタは、機器のケースに設けられた取付孔に嵌合可能なハウジングを有している。このハウジングの内部には、相手端子に接続される機器側端子と、電線の芯線に接続された電線側端子と、機器側端子と電線側端子を接続する接続部材とが収容されている。ハウジングの上面部には、接続端子と電線側端子の接続部を上方に臨ませる検電用孔が開口されている。この検電用孔は、正極と負極に対応して一対設けられており、テスターの各リード棒を接続端子と電線側端子との接続部に接触させるための孔である。これにより、接続端子と電線側端子の接続部が帯電していないことを確認できる。
【０００３】
検電用孔には、ゴム製のシール栓体が緊密に嵌合されるようになっており、これによってハウジングの内部がシールされるようになっている。シール栓体は、ハウジングの上面部に装着される検電カバーに取り付けられている。
【先行技術文献】
【特許文献】
【０００４】
【特許文献１】特開２０１５−８２４６５号公報
【発明の概要】
【発明が解決しようとする課題】
【０００５】
しかしながら、上記のシール栓体は、検電カバーに貫通して設けられた貫通孔に圧入されて固定される固定部を有しており、シール栓体が強く引っ張られると固定部が貫通孔から外れてしまい、シール栓体が検電カバーから脱落するおそれがある。
【課題を解決するための手段】
【０００６】
本明細書によって開示されるゴム栓アッシーは、ハウジングの内部を止水するゴム栓本体部を有し、前記ゴム栓本体部の周囲に脚部が設けられており、前記脚部に設けられた凹部の周壁が切れ目なく連続するゴム栓と、前記ゴム栓を覆って前記ハウジングに固定されるカバーと、前記脚部に対して前記カバーと反対側に配されるゴム栓固定部を有し、前記凹部に対して前記カバーと反対側から嵌合する突起が前記ゴム栓固定部に設けられており、前記突起が前記凹部の前記周壁に係止することで前記脚部が前記カバーに沿って移動することが抑制された状態となって前記カバーに固定されるゴム栓ホルダとを備えた構成とした。
【０００７】
このような構成によると、ゴム栓の脚部がゴム栓ホルダのゴム栓固定部とカバーとの間に配されるとともに、ゴム栓固定部の突起が脚部の凹部に対してカバーと反対側から嵌合するから、ゴム栓固定部の突起が凹部の周壁に係止することでゴム栓の脚部がカバーに沿って移動することが抑制される。したがって、ゴム栓の脚部がゴム栓固定部から外れてゴム栓がカバーから脱落することを防ぐことができる。
【０００８】
本明細書によって開示されるゴム栓アッシーは、以下の構成としてもよい。
前記ゴム栓ホルダは、前記カバーに設けられた位置決め孔に挿通されることで前記ゴム栓固定部が前記カバーから離れる方向へ移動することが抑制される位置決めピンを有する構成としてもよい。
このような構成によると、例えばゴム栓ホルダがこじられて傾いた場合でも、位置決めピンが位置決め孔の周壁に干渉することで、ゴム栓固定部がカバーから離れる方向へ移動することが抑制され、ゴム栓固定部の突起が脚部の凹部に嵌合した状態に保持される。
【０００９】
前記ゴム栓ホルダは、前記カバーに設けられた被ロック部に係止することで前記ゴム栓ホルダを前記カバーに固定するロック部を有し、前記ロック部の両側に一対の前記ゴム栓固定部が配されている構成とした。
このような構成によると、例えばゴム栓ホルダがこじられて傾くとした場合、ロック部を中心として一対のゴム栓固定部が揺動するため、一方のゴム栓固定部がカバーから離れると、他方のゴム栓固定部とカバーとの間にゴム栓の脚部が強固に挟み込まれて抜け止めされるため、ゴム栓がカバーから脱落することをより確実に防ぐことができる。
【発明の効果】
【００１０】
本明細書によって開示されるゴム栓アッシーによれば、ゴム栓の脚部がゴム栓固定部から外れてゴム栓がカバーから脱落することを防ぐことができる。
【図面の簡単な説明】
【００１１】
【図１】実施形態におけるコネクタの斜視図
【図２】コネクタの平面図
【図３】図２におけるＡ−Ａ線断面図
【図４】ゴム栓アッシーの平面図
【図５】ゴム栓アッシーの正面図
【図６】ゴム栓アッシーの側面図
【図７】図４におけるＢ−Ｂ線断面図
【図８】ゴム栓ホルダに組み付けられたゴム栓の平面図
【図９】ゴム栓ホルダに組み付けられたゴム栓の正面図
【図１０】ゴム栓ホルダに組み付けられたゴム栓の側面図
【図１１】図８におけるＣ−Ｃ線断面図
【図１２】ゴム栓ホルダの平面図
【図１３】ゴム栓ホルダの正面図
【図１４】ゴム栓ホルダの側面図
【図１５】図１２におけるＤ−Ｄ線断面図
【図１６】カバーの平面図
【発明を実施するための形態】
【００１２】
＜実施形態＞
実施形態を図１から図１６の図面を参照しながら説明する。本実施形態のコネクタ１０は、図１に示すように、合成樹脂製のハウジング２０と、ハウジング２０を覆う金属製のシールドシェル３０とを備えている。ハウジング２０は、全体として略Ｌ字状をなし、前方に突出する形態をなすコネクタ嵌合部２１と、電線Ｗが下方に引き出された電線引出部２２とを備えて構成されている。コネクタ嵌合部２１は、図示しない機器のケースに設けられた取付孔に嵌合可能とされている。一方、シールドシェル３０は、コネクタ嵌合部２１を覆うアッパシェル３１と、電線引出部２２を覆うロアシェル３２とを備えて構成されている。
【００１３】
アッパシェル３１の上面部には、ゴム栓アッシー４０が被着されている。ゴム栓アッシー４０は、図４から図７に示すように、一対のゴム栓５０と、合成樹脂製の一対のゴム栓ホルダ６０と、金属製のカバー７０とを互いに組み付けて一体に構成したものである。ゴム栓アッシー４０は、図２に示すように、ハウジング２０に固着された図示しないナットに対してボルト４１で締結されている。
【００１４】
図３に示すように、ハウジング２０の上面部には、検電用孔２３が開口しており、この検電用孔２３の下方には、電線Ｗに接続された電線側端子２４が配設されている。したがって、検電用孔２３からテスターのリード棒を挿入して電線側端子２４に接触させることで帯電の有無を確認することができる。そして、検電用孔２３にゴム栓５０を嵌合することでハウジング２０の内部を止水することができるようになっている。
【００１５】
ゴム栓５０は、詳細には、図１１に示すように、円柱状をなすゴム栓本体部５１と、ゴム栓本体部５１の軸方向端部５１Ａから径方向外側に突出する一対の脚部５２とを備えて構成されている。脚部５２には、貫通孔５３が設けられている。この貫通孔５３は閉じられた孔であって、貫通孔５３の周壁５４は、図８に示すように、切れ目なく連続している。周壁５４のうち他方の脚部５２に近い内側部分５５は、当該内側部分５５を除くＵ字状の外側部分５６に比べて薄肉とされている。なお、ゴム栓本体部５１の内部には、軸方向端部５１Ａ側に開口する有底の装着孔５７が設けられている。
【００１６】
ゴム栓ホルダ６０は、図１３に示すように、ゴム栓５０のゴム栓本体部５１が装着されるホルダ本体部６１と、ホルダ本体部６１の両側に配された一対のゴム栓固定部６４とを備えて構成されている。ホルダ本体部６１には、上方に突出する形態をなす一対のロック片６２と、下方に突出する形態をなす装着ピン６３とが設けられている。各ロック片６２は、弾性変形可能とされ、互いに接近および離間する方向に移動可能とされている。一対のロック片６２の先端部には、それぞれロック突起６２Ａが反対方向を向いて一対設けられている。
【００１７】
ホルダ本体部６１は、図１２に示すように、略円形の外周形状を有しており、ゴム栓固定部６４と各ロック片６２の間には、ゴム栓５０の各脚部５２を通してゴム栓本体部５１をホルダ本体部６１に組み付けるための一対の組付孔６５が設けられている。また、各ゴム栓固定部６４の中央部には、一対の突起６６が設けられている。また、各ゴム栓固定部６４における各突起６６の側方には、一対の位置決めピン６７が設けられている。各位置決めピン６７は、各突起６６を結ぶ線に関してオフセットした位置で、かつ、一対のロック片６２に関して点対称をなす位置に配されている。
【００１８】
ゴム栓５０をゴム栓ホルダ６０に組み付けると、図１１に示すように、装着ピン６３が装着孔５７に嵌合し、各突起６６が各貫通孔５３に下方から嵌合する。装着ピン６３は、装着孔５７に対してやや圧入気味に嵌合している。このため、ゴム栓本体部５１の剛性が装着ピン６３によって高くなっており、検電用孔２３に対するシール性も高いものとされている。一方、各突起６６は、各貫通孔５３にほぼ適合して嵌合しており、各突起６６の上端と各周壁５４の外側部分５６の上端とは同じ高さに配されている。
【００１９】
カバー７０は、横長の略方形をなすカバー本体部７１と、カバー本体部７１の周縁から外方に張り出す接続片７２とを備えて構成されている。カバー本体部７１の中央部には、ボルト４１を通すボルト孔７３が開口している。また、カバー本体部７１におけるボルト孔７３の両側には、一対のロック孔７４が開口している。さらに、各ロック孔７４の周囲には、一対の位置決め孔７５がそれぞれ開口している。一対の位置決め孔７５を結ぶ線は、一対のロック孔７４を結ぶ線に対して斜めに交差する配置とされている。
【００２０】
ゴム栓５０をゴム栓ホルダ６０に組み付けて、これをカバー７０に組み付けると、図７に示すように、一対のロック片６２がロック孔７４に嵌まり込んで各ロック突起６２Ａがロック孔７４の孔縁部に係止することで、ゴム栓ホルダ６０がカバー７０に保持され、ゴム栓アッシー４０が構成される。カバー本体部７０のうちロック孔７４が形成されたロック孔周辺部７６は凹んだ形状をなしている。このため、ロック孔７４に嵌まり込んだ一対のロック片６２の上端とカバー本体部７１の上面とはほぼ同じ高さに配されている。また、周壁５４の内側部分５５は、ロック孔周辺部７６に下方から当接している。一方、周壁５４の外側部分５６は、突起６６を取り囲むようにしてゴム栓固定部６４とカバー本体部７１の間に配されている。
【００２１】
ところで、ゴム栓ホルダ６０はカバー７０に対してがたつきを持って取り付けられており、このがたつきによって突起６６の先端がカバー本体部７１に対して下方から当接可能とされている。言い換えると、各突起６６はカバー本体部７１に対してわずかな隙間を介して配されている。この隙間は、周壁５４の外側部分５６の高さよりも十分に小さく、周壁５４の外側部分５６が通過できない大きさとされている。この結果、ゴム栓５０が下方に引っ張られて脚部５２がホルダ本体部６１側に引っ張られても、周壁５４の外側部分５６が突起６６に対して係止した状態に保持され、ゴム栓５０の脚部５２がゴム栓固定部６４から外れてゴム栓５０がカバー７０から脱落することを防ぐことができる。
【００２２】
また、図４に示すように、各位置決めピン６７は各位置決め孔７５を貫通した状態で挿通されている。仮にゴム栓アッシー４０をアッパシェル３１から外す際にカバー７０が傾いても、各位置決めピン６７が各位置決め孔７５の周壁に干渉することでカバー７０の傾きが大幅に抑制され、カバー本体部７１が各突起６６から離れる方向に移動することが抑制されるため、各突起６６が各貫通孔５３に嵌合した状態に保持されて、各脚部５２が各ゴム栓固定部６４から外れることを防ぐことができる。
【００２３】
さらに、ゴム栓アッシー４０をアッパシェル３１から外した後、図７に示すように、一方（例えば図７の左側）の突起６６がロック片６２を中心としてカバー本体部７１から離れる方向（図７の下方）に揺動しても、他方（図７の右側）の突起６６がカバー本体部７１に下方から当接するとともに、脚部５２の外側部分５６がゴム栓固定部６４とカバー本体部７１の間に強固に挟み込まれる。このため、他方の突起６６における脚部５２がゴム栓固定部６４において確実に抜け止めされる。
【００２４】
以上のように本実施形態では、ゴム栓５０の脚部５２がゴム栓ホルダ６０のゴム栓固定部６４とカバー７０との間に配されるとともに、ゴム栓固定部６４の突起６６が脚部５２の凹部（貫通孔５３）に対してカバー７０と反対側から嵌合するから、ゴム栓固定部６４の突起６６が凹部の周壁５４に係止することでゴム栓５０の脚部５２がカバー７０に沿って移動することが抑制される。したがって、ゴム栓５０の脚部５２がゴム栓固定部６４から外れてゴム栓５０がカバー７０から脱落することを防ぐことができる。
【００２５】
ゴム栓ホルダ６０は、カバー７０に設けられた位置決め孔７５に挿通されることでゴム栓固定部６４がカバー７０から離れる方向へ移動することが抑制される位置決めピン６７を有する構成としてもよい。
このような構成によると、例えばゴム栓ホルダ６０がこじられて傾いた場合でも、位置決めピン６７が位置決め孔７５の周壁に干渉することで、ゴム栓固定部６４がカバー７０から離れる方向へ移動することが抑制され、ゴム栓固定部６４の突起６６が脚部５２の凹部に嵌合した状態に保持される。
【００２６】
ゴム栓ホルダ６０は、カバー７０に設けられた被ロック部（ロック孔７４の孔縁部）に係止することでゴム栓ホルダ６０をカバー７０に固定するロック部（ロック片６２）を有し、ロック部の両側に一対のゴム栓固定部６４が配されている構成とした。
このような構成によると、例えばゴム栓ホルダ６０がこじられて傾くとした場合、ロック部を中心として一対のゴム栓固定部６４が揺動するため、一方のゴム栓固定部６４がカバー７０から離れると、他方のゴム栓固定部６４とカバー７０との間にゴム栓５０の脚部５２が強固に挟み込まれて抜け止めされるため、ゴム栓５０がカバー７０から脱落することをより確実に防ぐことができる。
【００２７】
＜他の実施形態＞
本明細書によって開示される技術は上記記述及び図面によって説明した実施形態に限定されるものではなく、例えば次のような種々の態様も含まれる。
（１）上記実施形態では脚部５２に設けられた凹部として貫通孔５３を例示しているものの、有底の凹部としてもよい。
【００２８】
（２）上記実施形態ではカバー７０がアッパシェル３１を介してハウジング２０に固定されているものの、カバー７０を直接ハウジング２０の上面部に固定してもよい。
【００２９】
（３）上記実施形態では一対の位置決めピン６７をゴム栓ホルダ６０における対角をなす位置に設けているものの、位置決めピンを１つだけ設けてもよいし、３つ以上設けてもよい。また、位置決めピンを設ける位置は問わない。
【００３０】
（４）上記実施形態では一対のロック片６２をロック孔７４に嵌め込むことでゴム栓ホルダ６０をカバー７０に固定しているものの、カバーをゴム栓ホルダにボルトで固定してもよい。
【００３１】
（５）上記実施形態では検電用孔２３を止水するゴム栓５０を例示しているものの、他の用途の孔をゴム栓５０で止水してもよい。
【符号の説明】
【００３２】
２０…ハウジング
４０…ゴム栓アッシー
５０…ゴム栓
５１…ゴム栓本体部
５２…脚部
５３…貫通孔（凹部）
５４…周壁
６０…ゴム栓ホルダ
６２…ロック片（ロック部）
６４…ゴム栓固定部
６６…突起
６７…位置決めピン
７０…カバー
７４…ロック孔（被ロック部）
７５…位置決め孔
【図１】
0006314909.tif 000002
【図２】
0006314909.tif 000003
【図３】
0006314909.tif 000004
【図４】
0006314909.tif 000005
【図５】
0006314909.tif 000006
【図６】
0006314909.tif 000007
【図７】
0006314909.tif 000008
【図８】
0006314909.tif 000009
【図９】
0006314909.tif 000010
【図１０】
0006314909.tif 000011
【図１１】
0006314909.tif 000012
【図１２】
0006314909.tif 000013
【図１３】
0006314909.tif 000014
【図１４】
0006314909.tif 000015
【図１５】
0006314909.tif 000016
【図１６】
0006314909.tif 000017